(57)【要約】【課題】ＩＰネットワークのトラフィックの増大を抑止可能な、ＩＰ−ＰＢＸおよびＩＰ対応無線基地局装置を用いた無線電話システムを実現する。【解決手段】ＩＰ−ＰＢＸ２において、主制御部２４は、ＰＨＳ端末３に対する保留音またはローカルトーンの送出開始および送出停止の指示を、ＬＡＮ４を介してＩＰ対応ＰＨＳ基地局装置１に出力する。ＩＰ対応無線基地局装置１は、保留音およびローカルトーンを出力するトーン発生部１３１と、ＬＡＮ４を介してＩＰ−ＰＢＸ２より受信した前記指示に従い、トーン発生部１３１が出力する保留音またはローカルトーンのＰＨＳ端末３への送出を制御するセレクタ１３３と、を有する。【選択図】図１
2004343437.tif 000002
【特許請求の範囲】
【請求項１】
ＩＰ−ＰＢＸ（Ｉｎｔｅｒｎｅｔ  Ｐｒｏｔｏｃｏｌ−Ｐｒｉｖａｔｅ  Ｂｒａｎｃｈ  Ｅｘｃｈａｎｇｅ）と、無線電話機をＩＰネットワークを介して前記ＩＰ−ＰＢＸに接続するＩＰ対応無線基地局装置と、を備えた無線電話システムであって、
前記ＩＰ−ＰＢＸは、
前記無線電話機に対する保留音またはローカルトーンの送出開始および送出停止の指示を、前記ＩＰネットワークを介して前記ＩＰ対応無線基地局装置に出力する指示手段を有し、
前記ＩＰ対応無線基地局装置は、
保留音およびローカルトーンを出力するトーン出力手段と、
前記ＩＰネットワークを介して前記ＩＰ−ＰＢＸより受信した前記指示に従い、前記トーン出力手段が出力する保留音またはローカルトーンの前記無線電話機への送出を制御する選択制御手段と、を有すること
を特徴とする無線電話システム。
【請求項２】
請求項１記載の無線電話システムであって、
前記ＩＰ−ＰＢＸの前記指示手段は、前記無線電話機の通話相手よりの保留要求に対して、前記保留音の送出開始の指示を前記ＩＰ対応無線基地局装置に出力すると共に、前記通話相手よりの保留解除要求に対して、前記保留音の送出停止の指示を前記ＩＰ対応無線基地局装置に出力し、
前記ＩＰ対応無線基地局装置の前記選択制御手段は、前記ＩＰ−ＰＢＸより前記保留音の送出開始の指示を受信した場合は、前記トーン出力手段が出力する保留音を選択して前記無線電話機へ送出し、前記保留音の送出停止の指示を受信した場合は、前記保留音の選択出力を停止すること
を特徴とする無線電話システム。
【請求項３】
請求項１記載の無線電話システムであって、
前記ＩＰ−ＰＢＸの前記指示手段は、前記無線電話機よりの保留要求に対して、前記ローカルトーンの１つであるＳＤＴ（Ｓｐｅｃｉａｌ  Ｄｉａｌ  Ｔｏｎｅ）の送出開始の指示を前記ＩＰ対応無線基地局装置に出力すると共に、前記無線電話機よりの保留解除要求に対して、前記ＳＤＴの送出停止の指示を前記ＩＰ対応無線基地局装置に出力し、
前記ＩＰ対応無線基地局装置の前記選択制御手段は、前記ＩＰ−ＰＢＸより前記ＳＤＴの送出開始の指示を受信した場合は、前記トーン出力手段が出力するＳＤＴを選択して前記無線電話機へ送出し、前記ＳＤＴの送出停止の指示を受信した場合は、前記ＳＤＴの選択出力を停止すること
を特徴とする無線電話システム。
【請求項４】
請求項１記載の無線電話システムであって、
前記ＩＰ−ＰＢＸの前記指示手段は、前記無線電話機よりの呼設定要求に対して、前記ローカルトーンの１つである内線ＤＴ（Ｄｉａｌ  Ｔｏｎｅ）の送出開始タイミングとなったときに、前記内線ＤＴの送出開始の指示を前記ＩＰ対応無線基地局装置に出力すると共に、前記無線電話機よりの第１ダイヤルの着番号に対して、前記内線ＤＴの送出停止の指示を前記ＩＰ対応無線基地局装置に出力し、
前記ＩＰ対応無線基地局装置の前記選択制御手段は、前記ＩＰ−ＰＢＸより前記内線ＤＴの送出開始の指示を受信した場合は、前記トーン出力手段が出力する内線ＤＴを選択して前記無線電話機へ送出し、前記内線ＤＴの送出停止の指示を受信した場合は、前記内線ＤＴの選択出力を停止すること
を特徴とする無線電話システム。
【請求項５】
無線電話機をＩＰネットワークを介してＩＰ−ＰＢＸ（Ｉｎｔｅｒｎｅｔ  Ｐｒｏｔｏｃｏｌ−Ｐｒｉｖａｔｅ  Ｂｒａｎｃｈ  Ｅｘｃｈａｎｇｅ）に接続するＩＰ対応無線基地局装置であって、
保留音およびローカルトーンを出力するトーン出力手段と、
前記ＩＰネットワークを介して前記ＩＰ−ＰＢＸより、前記無線電話機に対する保留音またはローカルトーンの送出開始および送出停止の指示を受信し、受信した前記指示に従い、前記トーン出力手段が出力する保留音またはローカルトーンの前記無線電話機への送出を制御する選択制御手段と、を有すること
を特徴とするＩＰ対応無線基地局装置。
【請求項６】
請求項５記載のＩＰ対応無線基地局装置であって、
ＣＰＵを備え、前記ＩＰネットワークとの通信を行うＩＰ通信処理手段と、
ＣＰＵを備え、前記無線端末との通信を行う無線通信処理手段と、
前記ＩＰ通信処理手段のＣＰＵと前記無線通信処理手段のＣＰＵとの間における制御および／またはプログラムデータの送受を中継するＦＩＦＯ（Ｆｉｒｓｔ  Ｉｎ  Ｆｉｒｓｔ  Ｏｕｔ）と、をさらに有すること
を特徴とするＩＰ対応無線基地局装置。
【請求項７】
無線電話機をＩＰネットワークに接続するＩＰ対応無線基地局装置を、前記ＩＰネットワークを介して収容するＩＰ−ＰＢＸ（Ｉｎｔｅｒｎｅｔ  Ｐｒｏｔｏｃｏｌ−Ｐｒｉｖａｔｅ  Ｂｒａｎｃｈ  Ｅｘｃｈａｎｇｅ）であって、
前記無線電話機に対する保留音またはローカルトーンの送出開始および送出停止の指示を、前記ＩＰネットワークを介して前記ＩＰ対応無線基地局装置に出力する指示手段を有すること
を特徴とするＩＰ−ＰＢＸ。
【請求項８】
ＩＰ−ＰＢＸ（Ｉｎｔｅｒｎｅｔ  Ｐｒｏｔｏｃｏｌ−Ｐｒｉｖａｔｅ  Ｂｒａｎｃｈ  Ｅｘｃｈａｎｇｅ）と、無線電話機をＩＰネットワークを介して前記ＩＰ−ＰＢＸに接続するＩＰ対応無線基地局装置と、を備えた無線電話システムにおける、前記無線電話機への保留音またはローカルトーンの送出方法であって、
前記ＩＰ−ＰＢＸが、前記無線電話機に対する保留音またはローカルトーンの送出開始および送出停止の指示を、前記ＩＰネットワークを介して前記ＩＰ対応無線基地局装置に出力するステップと、
前記ＩＰ対応無線基地局装置が、前記ＩＰネットワークを介して前記ＩＰ−ＰＢＸより受信した前記指示に従い、保留音またはローカルトーンの前記無線電話機への送出を制御するステップと、を有すること
を特徴とする保留音またはローカルトーンの送出方法。
【発明の詳細な説明】
【０００１】
【発明の属する技術分野】
本発明は、ＩＰ−ＰＢＸ（Ｉｎｔｅｒｎｅｔ  Ｐｒｏｔｏｃｏｌ−Ｐｒｉｖａｔｅ  Ｂｒａｎｃｈ  Ｅｘｃｈａｎｇｅ）およびＩＰ対応無線基地局装置を備えた無線電話システムに関する。
【０００２】
【従来の技術】
ＰＨＳ（Ｐｅｒｓｏｎａｌ  Ｈａｎｄｙ−ｐｈｏｎｅ  Ｓｙｓｔｅｍ）端末等の無線電話機を内線電話機としても使用できるようにするためのシステムとして、事業所用無線電話システムが知られている。図５は、従来の事業所用ＰＨＳシステムの概略図である。図示するように、ＰＢＸ６と、ＰＨＳ端末３をデジタル電話回線８を介してＰＢＸ６に接続するＰＨＳ基地局装置７と、を備えて構成される。このような従来の事業所用ＰＨＳシステムにおいて、保留音やローカルトーンは、ＰＢＸが生成し、ＰＨＳ基地局装置を介してＰＢＸおよびＰＨＳ端末間に設定された通話路を用いて、ＰＢＸからＰＨＳ端末へ送出されるのが一般的である（特許文献１）。なお、ローカルトーンとは、ダイヤルトーンやビジートーンなどの電話機へ送信するトーンのことである。
【０００３】
【特許文献１】
特開平１１−１８７１３１号公報
【０００４】
【発明が解決しようとする課題】
ＩＰネットワーク上でＩＰ電話機やＶｏＩＰ（Ｖｏｉｃｅ  ｏｖｅｒ  ＩＰ）ゲートウエイ装置などを制御し、ＰＢＸ機能を提供するＩＰ−ＰＢＸが提案されている。また、ＰＨＳ端末などの無線電話機をＩＰネットワークに接続するＩＰ対応無線基地局装置が提案されている。ＩＰ−ＰＢＸおよびＩＰ対応無線基地局装置をＩＰネットワーク、例えば事業所内に敷設されている既存のＬＡＮ（Ｌｏｃａｌ  Ａｒｅａ  Ｎｅｔｗｏｒｋ）に接続することにより、ＰＢＸおよび基地局装置間の接続のためにＩＳＤＮ回線等の電話回線を新たに敷設することなく、事業所用無線電話システムを構築することが可能となる。
【０００５】
しかし、ＩＰ−ＰＢＸおよびＩＰ対応無線基地局装置を用いて事業所用無線電話システムを構築した場合において、上記の特許文献１に記載の技術のように、保留音やローカルトーンを、ＩＰ−ＰＢＸで生成して、ＩＰ対応無線基地局装置を介して無線端末へ送出したのでは、次のような問題が生ずる。すなわち、保留音やローカルトーンを送出している期間中、保留音やローカルトーンを格納したＩＰパケットがＩＰネットワークに流れ続け、ＩＰネットワークのトラフィックを増大させてしまう。このため、ＩＰネットワークに接続されている他のネットワーク端末の通信環境が劣化する虞れがある。
【０００６】
本発明は上記事情に鑑みてなされたものであり、本発明の目的は、ＩＰネットワークのトラフィックの増大を抑止することのできる、ＩＰ−ＰＢＸおよびＩＰ対応無線基地局装置を用いた無線電話システムを実現することにある。
【０００７】
【課題を解決するための手段】
上記課題を解決するために、本発明の無線電話システムは、ＩＰ−ＰＢＸと、無線電話機をＩＰネットワークを介して前記ＩＰ−ＰＢＸに接続するＩＰ対応無線基地局装置と、を備える。
【０００８】
前記ＩＰ−ＰＢＸは、前記無線電話機に対する保留音またはローカルトーンの送出開始および送出停止の指示を、前記ＩＰネットワークを介して前記ＩＰ対応無線基地局装置に出力する指示手段を有する。また、前記ＩＰ対応無線基地局装置は、保留音およびローカルトーンを出力するトーン出力手段と、前記ＩＰネットワークを介して前記ＩＰ−ＰＢＸより受信した前記指示に従い、前記トーン出力手段が出力する保留音またはローカルトーンの前記無線電話機への送出を制御する選択制御手段と、を有する。
【０００９】
本発明によれば、保留音またはローカルトーンの送出開始および送出停止の指示が、ＩＰネットワークを介して、ＩＰ−ＰＢＸからＩＰ対応無線基地局装置へ送信される。したがって、保留音やローカルトーンを送出している期間中、保留音やローカルトーンを格納したＩＰパケットがＩＰネットワークに流れ続けることはない。このため、ＩＰネットワークのトラフィックの増大を抑止することができる。
【００１０】
なお、前記ＩＰ対応無線基地局装置において、前記ＩＰネットワークとの通信を行うＩＰ通信処理手段および前記無線端末との通信を行う無線通信処理手段のそれぞれに、ＣＰＵを備えたユニットを利用する場合、前記ＩＰ通信処理手段のＣＰＵと前記無線通信処理手段のＣＰＵとの間における制御および／またはプログラムデータの送受を中継するＦＩＦＯを設けるとよい。
【００１１】
このようにすることで、簡単な構成で前記ＩＰ通信処理手段のＣＰＵと前記無線通信処理手段のＣＰＵとの間のインターフェースを実現することができる。
【００１２】
【発明の実施の形態】
以下、本発明の実施の形態について説明する。
【００１３】
図１は、発明の一実施形態が適用された事業所用ＰＨＳシステムの概略図である。図示するように、本実施形態の事業所用ＰＨＳシステムは、ＩＰ対応ＰＨＳ基地局装置１と、ＩＰ−ＰＢＸ２と、少なくとも１つのＰＨＳ端末３と、を備えて構成されている。ここで、ＩＰ対応ＰＨＳ基地局装置１およびＩＰ−ＰＢＸ２は、ＬＡＮ４により接続されている。また、ＩＰ−ＰＢＸ２は、少なくとも１つのＩＳＤＮ回線５を介して公衆網（不図示）と接続している。
【００１４】
以上のような構成において、ＩＰ対応ＰＨＳ基地局装置１は、ＩＰネットワーク（ＬＡＮ４）を介してＩＰ−ＰＢＸ２にＰＨＳ端末３を接続する。また、ＩＰ−ＰＢＸ２は、ＩＰネットワーク（ＬＡＮ４）上でＩＰ対応ＰＨＳ基地局装置１を制御して、ＰＢＸ機能を提供する。これにより、ＰＨＳ端末３を公衆網に接続したり、他のＰＨＳ端末３に接続したりする。
【００１５】
次に、ＩＰ−ＰＢＸ２およびＩＰ対応ＰＨＳ基地局装置１について詳細に説明する。まず、ＩＰ−ＰＢＸ２について説明する。
【００１６】
ＩＰ−ＰＢＸ２は、図１に示すように、ＩＳＤＮ回線収容部２１と、ＶｏＩＰ＋ＬＡＮ処理部２２と、スイッチ部２３と、主制御部２４とを有する。
【００１７】
ＩＳＤＮ回線収容部２１は、少なくとも１つのＩＳＤＮ回線５を収容する。そして、ＩＳＤＮ回線５毎に、ＩＳＤＮ信号（ＩＳＤＮの基本インターフェース（２Ｂ＋Ｄ））をスイッチ部２３と送受する。
【００１８】
ＶｏＩＰ＋ＬＡＮ処理部２２は、ＬＡＮ４との接続処理を行うと共に、音声処理についてはＲＴＰ（Ｒｅａｌ−ｔｉｍｅ  Ｔｒａｎｓｐｏｒｔ  Ｐｒｏｔｏｃｏｌ）および呼制御処理についてはＳＩＰ（Ｓｅｓｓｉｏｎ  Ｉｎｉｔｉａｔｉｏｎ  Ｐｒｏｔｏｃｏｌ）あるいはＨ．３２３を処理し、ＩＰ対応ＰＨＳ基地局装置１との間でＶｏＩＰ通話を行う。また、スイッチ部２３との間で少なくとも１つのＩＳＤＮ信号を送受する。そして、ＶｏＩＰ＋ＬＡＮ処理部２２は、スイッチ部２３と送受するＩＳＤＮ信号と、ＩＰ対応ＰＨＳ基地局装置１と送受するＩＰパケット（ＶｏＩＰパケット）との間の変換処理を行う。
【００１９】
スイッチ部２３は、ＶｏＩＰ＋ＬＡＮ処理部２２と送受する各ＩＳＤＮ信号と、ＩＳＤＮ回線収容部２１と送受する各ＩＳＤＮ信号との間の交換処理を行う。
【００２０】
主制御部２４は、ＩＰ−ＰＢＸ２の各部を統括的に制御して、呼制御などの各種処理を行う。
【００２１】
以上説明したＩＰ−ＰＢＸ２の構成・動作は、既存のＩＰ−ＰＢＸと基本的に同様である。しかし、本実施形態のＩＰ−ＰＢＸ２は、ＰＨＳ端末３に対する保留音またはローカルトーンの送出タイミングの期間中、保留音またはローカルトーンを格納したＩＰパケットを、ＩＰ対応ＰＨＳ基地局装置１経由でＰＨＳ端末３に送出することを行わない。その代わりに、次のように処理している。
【００２２】
すなわち、主制御部２４は、Ｂチャネル毎に、ＰＨＳ端末３に対する保留音またはローカルトーンの送出開始タイミングを監視し、該タイミングとなったときに、該Ｂチャネルに割り当てられたポート番号とトーンの種類とを含むトーン送出開始指示を格納したＩＰパケットをＶｏＩＰ＋ＬＡＮ処理部２２に生成させ、ＩＰ対応ＰＨＳ基地局装置１に送出する。また、主制御部２４は、Ｂチャネル毎に、ＰＨＳ端末３に対する保留音またはローカルトーンの送出終了タイミングを監視し、該タイミングとなったときに、該Ｂチャネルに割り当てられたポート番号とトーンの種類とを含むトーン送出停止指示を格納したＩＰパケットをＶｏＩＰ＋ＬＡＮ処理部２２に生成させ、ＩＰ対応ＰＨＳ基地局装置１に送出する。
【００２３】
次に、ＩＰ対応ＰＨＳ基地局装置１について説明する。
【００２４】
ＩＰ対応ＰＨＳ基地局装置１は、図１に示すように、ＶｏＩＰ＋ＬＡＮ処理部１１と、無線通信＋通信制御部１２と、ロジック部１３と、を有する。
【００２５】
ＶｏＩＰ＋ＬＡＮ処理部１１は、ＬＡＮ４との接続処理を行うと共に、ＩＰ−ＰＢＸ２との間でＶｏＩＰ通話を行う。また、ロジック部１３との間で音声（通話）データおよび制御データ（プログラムを含む）を送受する。そして、ＶｏＩＰ＋ＬＡＮ処理部１１は、ＩＰ−ＰＢＸ２と送受するＩＰパケット（ＶｏＩＰパケット）と、ロジック部１３と送受する音声データ、制御データとの間の変換処理を行う。また、ＶｏＩＰ＋ＬＡＮ処理部１１は、ＩＰ−ＰＢＸ２より受信したトーン送出開始指示あるいは停止指示に従い、当該指示に含まれるポート番号が割り当てられたＢチャネルを通して、保留音やローカルトーンがＰＨＳ端末３に出力されるようにロジック部１３を制御する。
【００２６】
無線通信＋通信制御部１２は、例えば事業所用ＰＨＳシステムの標準規格であるＲＣＲ  ＳＴＤ−２８により、ＰＨＳ端末３と無線通信を行う。また、無線通信＋通信制御部１２は、ＰＨＳ端末３とロジック部１２との間における音声（通話）データの中継処理を行うと共に、ＰＨＳ端末３およびロジック部１２より受信した呼制御データに従って呼制御処理を行う。
【００２７】
ロジック部１３は、トーン発生部１３１と、音声データ処理部１３２と、セレクタ１３３と、符号化・復号化部１３４と、制御データ用バッファ１３５と、を有する。
【００２８】
トーン発生部１３１は、ＶｏＩＰ＋ＬＡＮ処理部１１よりの指示に従い保留音やローカルトーンを出力する。
【００２９】
音声データ処理部１３２は、ＶｏＩＰ＋ＬＡＮ処理部１１より受信した音声データを１対（Ｂチャネルの２つ分）のＢチャネル毎に分離し、セレクタ１３３に出力すると共に、符号化・復号化部１３４より受け取った１対のＢチャネル毎の音声データを多重化してＶｏＩＰ＋ＬＡＮ処理部１１へ出力する。
【００３０】
セレクタ１３３は、ＶｏＩＰ＋ＬＡＮ処理部１１よりの指示に従い、Ｂチャネル毎に、トーン発生部１３１の出力および音声データ処理部１３２の出力のいずれか一方を選択する。
【００３１】
符号化・復号化部１３４は、セレクタ１３３より受け取った音声データまたはトーンデータ（１対のＢチャネル毎のデータ）を符号化して、無線通信＋通信制御部１２へ出力すると共に、無線通信＋通信制御部１２より受け取った音声データの符号化データを復号化して、復号化データ（１対のＢチャネル毎のデータ）を音声データ処理部１３２へ出力する。
【００３２】
制御データ用バッファ１３５は、ＶｏＩＰ＋ＬＡＮ処理部１１および無線通信＋通信制御部１２間で送受される制御データ（呼制御データやプログラムを含む）の中継用バッファである。
【００３３】
図２は、ＩＰ対応ＰＨＳ基地局装置１のハードウエア構成例を示す図である。
【００３４】
ＶｏＩＰ＋ＬＡＮ処理部１１は、１０／１００ＢＡＳＥ−Ｔの物理インターフェースの機能を提供するＰＨＹチップ１１１と、トーン発生部１３１、音声データ処理部１３２および制御データ用バッファ１３５との内部インターフェースの機能を提供するＥＢＩ（Ｅｘｔｅｒｎａｌ  Ｂｕｓ  Ｉｎｔｅｒｆａｃｅ）チップ１１２と、ＣＰＵ１１３と、ＣＰＵ１１３で実行するプログラムやデータの格納およびＣＰＵ１１３のワークエリアとして機能するメモリ１１４とが、内部バスで接続されて構成されている。
【００３５】
ＣＰＵ１１３は、音声処理についてはＲＴＰおよび呼制御処理についてはＳＩＰあるいはＨ．３２３を処理し、ＩＰ−ＰＢＸ２のＶｏＩＰ＋ＬＡＮ処理部２２との間で、ＶｏＩＰ通信を行う。また、ＰＨＹチップ１１１を介して受信したＩＰパケットの宛先アドレスおよびＵＤＰ（あるいはＴＣＰ）ヘッダのポート番号に基づいて、該パケットに格納されているデータの送出先が、音声データ処理部１３２および制御データ用バッファ１３５のいずれか一方となるように、ＥＢＩチップ１１２を制御する。
【００３６】
また、ＣＰＵ１１３は、ＰＨＹチップ１１１を介して受信した、自装置（ＩＰ対応ＰＨＳ基地局装置１）のアドレスを宛先アドレスとするＩＰパケットから、トーン送出開始指示およびトーン送出停止指示を抽出する。そして、抽出した指示に従ってトーン発生部１３１およびセレクタ１３４を制御する。
【００３７】
音声データ処理部１３２は、ＤＳＰ（Ｄｉｇｉｔａｌ  Ｓｉｇｎａｌ  Ｐｒｏｃｅｓｓｏｒ）１３２１と、第１調整バッファ１３２２と、第２調整バッファ１３２３と、を備えて構成されている。
【００３８】
ＤＳＰ１３２１は、ＶｏＩＰ＋ＬＡＮ処理部１１より受信した音声データを１対のＢチャネル毎に分離し、第１調整バッファ１３２２に出力する。また、第２調整バッファ１３２３より受け取った１対のＢチャネル毎の音声データを多重化してＶｏＩＰ＋ＬＡＮ処理部１１へ出力する。本実施形態では、同時に３台のＰＨＳ端末３との通話を可能とするために、ＩＳＤＮ回線の２回線分（Ｂチャネルの４つ分）を処理できるように４ｃｈＤＳＰを用いている。なお、ＶｏＩＰ＋ＬＡＮ処理部１１より受信する音声データ、つまり、ＲＴＰパケットに格納されている音声データとしては、６４ｋｂｉｔ／ｓ  μ−ｌａｗ  ＰＣＭ／Ａ−Ｌａｗ  ＰＣＭ（Ｇ．７１１）、３２ｋｂｉｔ／ｓ  ＡＤＰＣＭ（Ｇ．７２６）、３２ｋｂｉｔ／ｓ  Ｅｍｂｅｄｄｅｄ  ＡＤＰＣＭ（Ｇ．７２７）、８ｋｂｉｔ／ｓ  ＣＳ−ＡＣＥＬＰ（Ｇ．７２９）、および、６．３／５．３ｋｂｉｔ／ｓ  ＭＰ−ＭＬＱ／ＡＣＥＬＰ（Ｇ．７２３．１）などが考えられる。本実施形態において、ＤＳＰ１３２１は、ＶｏＩＰ＋ＬＡＮ処理部１１から出力された上記いずれかの種類の音声データを、６４ｋｂｉｔ／ｓ  μ−ｌａｗ  ＰＣＭの音声データに変換して第１調整バッファ１３２２に出力すると共に、第２調整バッファ１３２３より出力された６４ｋｂｉｔ／ｓ  μ−ｌａｗ  ＰＣＭの音声データを、上記いずれかの種類の音声データに変換してＶｏＩＰ＋ＬＡＮ処理部１１へ出力している。
【００３９】
第１調整バッファ１３２２は、ＤＳＰ１３２１から受信した１対のＢチャネル毎の音声データのセレクタ１３４への出力タイミングを調整する。また、第２調整バッファ１３２３は、符号化・復号化部１３４から受信した１対のＢチャネル毎の音声データのＤＳＰ１３２１への出力タイミングを調整する。本実施形態では、第１調整バッファ１３２２および第２調整バッファ１３２３を同じＦＰＧＡ（Ｆｉｅｌｄ  Ｐｒｏｇｒａｍｍａｂｌｅ  Ｇａｔｅ  Ａｒｒａｙ）１４内に作り込んでいる。
【００４０】
トーン発生部１３１は、メロディＩＣ１３１１と、トーンＲＯＭ１３１２と、を備えて構成されている。メロディＩＣ１３１１は、少なくとも１つのメロディ（６４ｋｂｉｔ／ｓ  μ−ｌａｗ  ＰＣＭ）を送出することができ、ＶｏＩＰ＋ＬＡＮ処理部１１よりの指示に従い、指定されたメロディを生成してセレクタ１３３へ送出する。トーンＲＯＭ１３１２は、複数種のローカルトーンのデータを保持しており、ＶｏＩＰ＋ＬＡＮ処理部１１よりの指示に従い、指定されたトーン（６４ｋｂｉｔ／ｓ  μ−ｌａｗ  ＰＣＭ）を読み出してセレクタ１３３へ送出する。
【００４１】
セレクタ１３３は、セレクタ回路１３３１を備えて構成されている。セレクタ回路１３３１は、ＶｏＩＰ＋ＬＡＮ処理部１１よりの指示に従い、第１調整バッファ１３２２から出力されるＩＳＤＮ回線の２回線分（Ｂチャネルの４つ分）の音声データに対して、Ｂチャネル単位で、音声データをそのまま出力するか、それとも、トーン発生部１３１から出力されるメロディあるいはトーンを出力するかを選択する。本実施形態では、セレクタ回路１３３１をＦＰＧＡ１４内に作り込んでいる。
【００４２】
符号化・復号化部１３４は、ＡＤＰＣＭトランスコーダ１３４１と、ＣＨコーデック１３４２と、を備えて構成されている。
【００４３】
ＡＤＰＣＭトランスコーダ１３４１は、セレクタ１３４から出力された６４ｋｂｉｔ／ｓ  μ−ｌａｗ  ＰＣＭの１対のＢチャネル毎の音声データを、３２ｋｂｉｔ／ｓ  ＡＤＰＣＭの１対のＢチャネル毎の音声データに変換し、ＣＨコーデック１３４２に出力する。また、ＣＨコーデック１３４２から出力された３２ｋｂｉｔ／ｓ  ＡＤＰＣＭの１対のＢチャネル毎の音声データを６４ｋｂｉｔ／ｓ  μ−ｌａｗ  ＰＣＭの１対のＢチャネル毎の音声データに変換し、第２調整バッファ１３２３へ出力する。
【００４４】
ＣＨコーデック１３４２は、ＡＤＰＣＭトランスコーダ１３４１から出力される１対のＢチャネル毎の音声データ（３２ｋｂｉｔ／ｓ  ＡＤＰＣＭ）、つまり、ＩＳＤＮ回線の２回線分（Ｂチャネルの４つ分）に基づいて、無線通信＋通信制御部１２からＢチャネル毎の無線信号（音声信号）を各ＰＨＳ端末３へ送信させる。また、無線通信＋通信制御部１２を介して各ＰＨＳ端末３から受信した信号に基づいて、１対のＢチャネル毎の音声データ（３２ｋｂｉｔ／ｓ  ＡＤＰＣＭ）、つまり、ＩＳＤＮ回線の２回線分（Ｂチャネルの４つ分）を生成し、ＡＤＰＣＭトランスコーダ１３４１へ出力する。ＣＨコーデック１３４２は、無線通信＋通信制御部１２の増幅回路や変復調回路の制御信号の生成機能、音声信号のスクランブル／デスクランブル機能、ＣＲＣの生成／チェック機能、ＢＥＲ測定機能、同期検出機能などを備えた多機能ＬＳＩである。
【００４５】
無線通信＋通信制御部１２は、無線ユニット１２５と、無線ユニット１２５とのインターフェースの機能を提供するＩＦチップ１２１と、制御データ用バッファ１３５との内部インターフェースの機能を提供するＥＢＩチップ１２２と、ＣＰＵ１２３と、ＣＰＵ１２３で実行するプログラムやデータの格納およびＣＰＵ１２３のワークエリアとして機能するメモリ１２４とを、備えて構成されている。ここで、ＩＦチップ１２１、ＥＢＩチップ１２２、ＣＰＵ１２３およびメモリ１２４は、内部バスで接続されている。
【００４６】
ＣＰＵ１２３は、制御データ用バッファ１３５を介して受信した制御データやプログラムデータに基づいて無線ユニット１２５を制御し、ＰＨＳ端末３と通信を行うための呼制御処理やその他の処理を行う。
【００４７】
無線ユニット１２５は、例えば事業所用ＰＨＳシステムの標準規格であるＲＣＲ  ＳＴＤ−２８により、ＰＨＳ端末３と無線通信を行うためのユニットである。図示していないが、ＰＨＳ端末３へ電波を出力するための送信部と、ＰＨＳ端末３からの電波を受信するための受信部と、希望周波数１．６ＧＨｚ帯の１ｓｔローカル信号を生成するための１ｓｔローカル信号発生回路と、２３３．１５ＭＨｚの２ｎｄローカル信号を生成するための２ｎｄローカル信号発生回路と、ローカル信号の切り替え回路と、π／４シフトＱＰＳＫ変調の論理処理を行うモデムと、を有する。送信部は、例えば変調回路、高周波増幅回路およびアンテナ回路を有する。また、受信部は、例えばアンテナ回路、高周波増幅回路、中間波増幅回路、低周波増幅回路および復調回路を有する。
【００４８】
制御データ用バッファ１３５は、ＦＩＦＯ１３５１を有する。ＦＩＦＯ１３５１は、双方向のメモリバッファであり、制御データやプログラムデータを、ＶｏＩＰ＋ＬＡＮ処理部１１のＣＰＵ１１３から無線通信＋通信制御部１２のＣＰＵ１２３へ送信したり、無線通信＋通信制御部１２のＣＰＵ１２３からＶｏＩＰ＋ＬＡＮ処理部１１のＣＰＵ１１３へ送信したりするために用いられる。本実施形態では、ＦＩＦＯ１３５１をＦＰＧＡ１４内に作り込んでいる。
【００４９】
次に、上記構成のＩＰ対応ＰＨＳ基地局装置１において、ＩＰ−ＰＢＸ２から送られてくるＩＰパケットの流れについて説明する。
【００５０】
ＩＰ−ＰＢＸ２から送られてくるＩＰパケットは、ＩＰヘッダの送信元アドレスとしてＩＰ−ＰＢＸ２に割り当てられたＩＰアドレスが格納され、宛先アドレスとしてＩＰ対応ＰＨＳ基地局装置１に割り当てられたＩＰアドレスが格納される。また、このＩＰパケットのＵＤＰ（あるいはＴＣＰ）ヘッダの送信元ポート番号としてＩＰ−ＰＢＸ２の送信ポート番号が格納され、宛先ポート番号としてＢチャネル、ＤチャネルおよびＩＰ対応ＰＨＳ基地局装置１に割り当てられたポート番号のいずれかが格納される。ここで、ＩＳＤＮ回線の２回線分の４つのＢチャネルのうち、ＰＨＳ端末３との通話に用いられる３つのＢチャネルにはポート番号が割り当てられるが、残り１つのＢチャネルは、無線区間の制御用パケットとして使用されるため、ポート番号は割り当てられない。
【００５１】
さて、ＶｏＩＰ＋ＬＡＮ処理部１１において、ＣＰＵ１１３は、ＩＰ−ＰＢＸ２から送られてくるＩＰパケットのＵＤＰ（あるいはＴＣＰ）ヘッダの宛先ポート番号に基づいて、ＩＰパケットに格納されたデータの出力先を振り分ける。
【００５２】
具体的には、宛先ポート番号がＢチャネルに割り当てられたポート番号あるいはポート番号なしの場合、ＣＰＵ１１３は、ＩＰパケットに格納されたデータを音声データ処理部１３２へ出力する。このデータは、音声データ処理部１３２、セレクタ１３３および符号化・復号化部１３４で、宛先ポート番号により特定されるＢチャネルのデータとして処理（６４ｋｂｉｔ／ｓ  ＰＣＭの音声符号化、および、３２ｋｂｉｔ／ｓ  ＡＤＰＣＭの音声符号化）される。その後、４つのＢチャネルのデータ（３２ｋｂｉｔ／ｓ  ＡＤＰＣＭデータ）は、４ｃｈのＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ）により無線ユニット１２５から送信される。そして、ＰＨＳ端末３は、自身に割り当てられたＢチャネルに対応する電波を送受信し通話を行う。また、無線区間の制御用パケットに割り当てられたＢチャネルに対応する電波を送受信して無線区間の制御を行う。
【００５３】
また、宛先ポート番号がＤチャネルに割り当てられたポート番号の場合、ＣＰＵ１１３は、ＩＰパケットに格納されたデータを制御データ用バッファ１３５へ出力する。このデータは、制御データ用バッファ１３５（ＦＩＦＯ１３５１）を介して無線通信＋通信制御部１２へ送られる。これにより、ＩＰ−ＰＢＸ２およびＰＨＸ端末３間において、事業所用ＰＨＳシステムの標準規格（ＲＣＲ  ＳＴＤ−２８）で規定されている呼制御手順のＤチャネル情報の送受信が可能となる。
【００５４】
また、ＣＰＵ１１３は、宛先ポート番号がＩＰ対応ＰＨＳ基地局装置１に割り当てられたポート番号の場合、ＣＰＵ１１３は、ＩＰパケットからトーン送出開始指示およびトーン送出停止指示を抽出する。そして、抽出した指示に従ってトーン発生部１３１およびセレクタ１３４を制御する。具体的には、トーン送出開始指示の場合、該トーン送出開始指示に含まれている種類のトーンを出力するようトーン発生部１３１を制御する。これと共に、該トーン送出開始指示に含まれているポート番号より特定されるＢチャネルについて、音声データ処理部１３２から出力される音声データの代わりに、トーン発生部１３１から出力されるトーンを、符号化・復号化部１３４に入力するように、セレクタ１３４を制御する。また、トーン送出停止指示の場合、該トーン送出停止指示に含まれている種類のトーンの出力を停止するようトーン発生部１３１を制御する。これと共に、該トーン送出開始指示に含まれているポート番号より特定されるＢチャネルについて、音声データ処理部１３２から出力される音声データを、符号化・復号化部１３４に入力するように、セレクタ１３４を制御する。このようにすることで、トーンのＰＨＳ端末３への送信を制御することができる。
【００５５】
次に、上記構成の事業所用ＰＨＳシステムにおいて、ＰＨＳ端末３に保留音やローカルトーンを送出する場合の動作について説明する。
【００５６】
図３は、保留音およびＳＤＴをＰＨＳ端末３へ送出する場合の動作を説明するための図である。
【００５７】
図１に示す２つのＰＨＳ端末３（ＰＨＳ端末Ａ、ＰＨＳ端末Ｂとする）間において、通話が行われているとする（Ｓ１０１）。
【００５８】
さて、通話中において、保留状態に移行すべく、ＰＨＳ端末Ａがフッキングされると、もしくは、保留ボタンが押されると（Ｓ１０２）、ＰＨＳ端末Ａはフッキング信号を送出する（Ｓ１０３）。
【００５９】
ＩＰ対応ＰＨＳ基地局１において、無線通信＋通信制御部１２は、ＰＨＳ端末Ａよりフッキング信号を受信すると、ＰＨＳ端末Ａが使用するＢチャネルに割り当てられたポート番号の指定を含む保留要求の情報信号を生成し、制御データ用バッファ１３５を介して、ＶｏＩＰ＋ＬＡＮ処理部１１に出力する。これを受けて、ＶｏＩＰ＋ＬＡＮ処理部１１は、保留要求の情報信号を格納したＩＰパケットを生成し、ＩＰ−ＰＢＸ２へ送出する（Ｓ１０４）。
【００６０】
ＩＰ−ＰＢＸ２において、主制御部２４は、ＶｏＩＰ＋ＬＡＮ処理部２２を介して、保留要求の情報信号を受信すると、この情報信号に含まれているポート番号が割り当てられているＢチャネルを使用するＰＨＳ端末Ａを特定し、さらに、このＰＨＳ端末Ａと通話中のＰＨＳ端末Ｂが使用するＢチャネルを特定する。そして、ＰＨＳ端末Ｂが使用するＢチャネルに割り当てられたポート番号と、生成すべきトーン音（保留音）の指定とを含むトーン送出開始信号（保留要求の情報信号）を生成し、このトーン送出開始信号のＩＰパケットを、ＶｏＩＰ＋ＬＡＮ処理部２２からＩＰ対応ＰＨＳ基地局１へ送信する（Ｓ１０５）。また、主制御部２４は、ＰＨＳ端末Ａが使用するＢチャネルに割り当てられたポート番号と、生成すべきトーン音（ＳＤＴ）の指定とを含むトーン送出開始信号（ＳＤＴ要求の情報信号）を生成し、このトーン送出開始信号のＩＰパケットを、ＶｏＩＰ＋ＬＡＮ処理部１１からＩＰ対応ＰＨＳ基地局１へ送信する（Ｓ１０８）。
【００６１】
ＩＰ対応ＰＨＳ基地局１において、ＶｏＩＰ＋ＬＡＮ処理部１１は、ＩＰ−ＰＢＸ２よりトーン送出開始信号（保留要求の情報信号）のＩＰパケットを受信すると、このトーン送出開始信号にて指定されているトーン音である保留音をトーン発生部１３１に生成させる。また、このトーン送出開始信号にて指定されているポート番号が割り当てられたＢチャネルについて、音声データ処理部１３２から出力される音声データの代わりに、トーン発生部１３１から出力される保留音が選択されるように、セレクタ１３３を制御する（Ｓ１０６）。これにより、保留音がＰＨＳ端末Ｂへ送信される（Ｓ１０７）。
【００６２】
また、ＩＰ対応ＰＨＳ基地局１において、ＶｏＩＰ＋ＬＡＮ処理部１１は、ＩＰ−ＰＢＸ２よりトーン送出開始信号（ＳＤＴ要求の情報信号）のＩＰパケットを受信すると、このトーン送出開始信号にて指定されているトーン音であるＳＤＴをトーン発生部１３１に生成させる。また、このトーン送出開始信号にて指定されているポート番号が割り当てられたＢチャネルについて、音声データ処理部１３２から出力される音声データの代わりに、トーン発生部１３１から出力されるＳＤＴが選択されるように、セレクタ１３３を制御する（Ｓ１０９）。これにより、ＳＤＴがＰＨＳ端末Ａへ送信される（Ｓ１１０）。
【００６３】
次に、保留状態において、通話状態に移行すべく、ＰＨＳ端末Ａが再度フッキングされると、もしくは、再度保留ボタンが押されると（Ｓ１１１）、ＰＨＳ端末Ａは再度フッキング信号を送出する（Ｓ１１２）。
【００６４】
ＩＰ対応ＰＨＳ基地局１において、無線通信＋通信制御部１２は、ＰＨＳ端末Ａよりフッキング信号を再度受信すると、ＰＨＳ端末Ａが使用するＢチャネルに割り当てられたポート番号の指定を含む保留停止要求の情報信号を生成し、制御データ用バッファ１３５を介して、ＶｏＩＰ＋ＬＡＮ処理部１１に出力する。これを受けて、ＶｏＩＰ＋ＬＡＮ処理部１１は、保留停止要求の情報信号を格納したＩＰパケットを生成し、ＩＰ−ＰＢＸ２へ送出する（Ｓ１１３）。
【００６５】
ＩＰ−ＰＢＸ２において、主制御部２４は、ＶｏＩＰ＋ＬＡＮ処理部２２を介して、保留停止要求の情報信号を受信すると、この情報信号に含まれているポート番号が割り当てられているＢチャネルを使用するＰＨＳ端末Ａを特定し、さらに、このＰＨＳ端末Ａと通話中のＰＨＳ端末Ｂが使用するＢチャネルを特定する。そして、ＰＨＳ端末Ｂが使用するＢチャネルに割り当てられたポート番号と、停止すべきトーン音（保留音）の指定とを含むトーン送出停止信号（保留停止要求の情報信号）を生成し、このトーン送出停止信号のＩＰパケットを、ＶｏＩＰ＋ＬＡＮ処理部２２からＩＰ対応ＰＨＳ基地局１へ送信する（Ｓ１１４）。また、ＰＨＳ端末Ａが使用するＢチャネルに割り当てられたポート番号と、停止すべきトーン音（ＳＤＴ）の指定とを含むトーン送出停止信号（ＳＤＴ停止要求の情報信号）を生成し、このトーン送出停止信号のＩＰパケットを、ＶｏＩＰ＋ＬＡＮ処理部２２からＩＰ対応ＰＨＳ基地局１へ送信する（Ｓ１１６）。
【００６６】
ＩＰ対応ＰＨＳ基地局１において、ＶｏＩＰ＋ＬＡＮ処理部１１は、ＩＰ−ＰＢＸ２よりトーン送出停止信号（保留停止要求の情報信号）のＩＰパケットを受信すると、このトーン送出停止信号にて指定されているトーン音である保留音の生成をトーン発生部１３１に中止させる。また、このトーン送出停止信号にて指定されているポート番号が割り当てられたＢチャネルについて、音声データ処理部１３２から出力される音声データが選択されるように、セレクタ１３３を制御する（Ｓ１１５）。これにより、ＰＨＳ端末Ａからの音声がＰＨＳ端末Ｂへ送信される。
【００６７】
また、ＩＰ対応ＰＨＳ基地局１において、ＶｏＩＰ＋ＬＡＮ処理部１１は、ＩＰ−ＰＢＸ２よりトーン送出停止信号（ＳＤＴ停止要求の情報信号）のＩＰパケットを受信すると、このトーン送出停止信号にて指定されているトーン音であるＳＤＴの生成をトーン発生部１３１に中止させる。また、このトーン送出停止信号にて指定されているポート番号が割り当てられたＢチャネルについて、音声データ処理部１３２から出力される音声データが選択されるように、セレクタ１３３を制御する（Ｓ１１７）。これにより、ＰＨＳ端末Ｂからの音声がＰＨＳ端末Ａへ送信される。
【００６８】
以上により、ＰＨＳ端末ＡとＰＨＳ端末Ｂとの間が通話状態に移行する（Ｓ１１８）。
【００６９】
図４は、内線ＤＴをＰＨＳ端末３へ送出する場合の動作を説明するための図である。
【００７０】
通話を開始すべく、ＰＨＳ端末３がオフフックされると（Ｓ２０１）、ＰＨＳ端末３およびＩＰ対応ＰＨＳ基地局装置１の無線通信＋通信制御部１２間において、無線区間のリンク確立のための手順が実行される（Ｓ２０２）。それから、ＰＨＳ端末３、ＩＰ対応ＰＨＳ基地局装置１、および、ＩＰ−ＰＢＸ２間において、呼設定のための手順が開示される（Ｓ２０３）。この際に、ＩＰ−ＰＢＸ２の主制御部２４は、ＰＨＳ端末３が使用するＢチャネルに割り当てられたポート番号の情報をＩＰ対応ＰＨＳ基地局装置１から入手する。
【００７１】
さて、ＩＰ−ＰＢＸ２において、主制御部２４は、内線ＤＴの送出タイミングになると、ＰＨＳ端末３が使用するＢチャネルに割り当てられたポート番号と、生成すべきトーン音（内線ＤＴ）の指定とを含むトーン送出開始信号（内線ＤＴ送出要求）を生成し、このトーン送出開始信号のＩＰパケットを、ＶｏＩＰ＋ＬＡＮ処理部２２からＩＰ対応ＰＨＳ基地局１へ送信する（Ｓ２０４）。
【００７２】
ＩＰ対応ＰＨＳ基地局１において、ＶｏＩＰ＋ＬＡＮ処理部１１は、ＩＰ−ＰＢＸ２よりトーン送出開始信号（内線ＤＴ送出要求）のＩＰパケットを受信すると、このトーン送出開始信号にて指定されているトーン音である内線ＤＴをトーン発生部１３１に生成させる。また、このトーン送出開始信号にて指定されているポート番号が割り当てられたＢチャネルについて、音声データ処理部１３２から出力される音声データの代わりに、トーン発生部１３１から出力される保留音が選択されるように、セレクタ１３３を制御する（Ｓ２０５）。これにより、内線ＤＴがＰＨＳ端末３へ送信される（Ｓ２０６）。
【００７３】
次に、ＰＨＳ端末３に第１ダイヤルの着番号が入力されると（Ｓ２０７）、この第１ダイヤルの着番号がＩＰ対応ＰＨＳ基地局装置１を介してＩＰ−ＰＢＸ２に通知される（Ｓ２０８、Ｓ２０９）。
【００７４】
ＩＰ−ＰＢＸ２において、主制御部２４は、ＶｏＩＰ＋ＬＡＮ処理部２２を介して、第１ダイヤルの着番号を受信すると、ＰＨＳ端末３が使用するＢチャネルに割り当てられたポート番号と、停止すべきトーン音（内線ＤＴ音）の指定とを含むトーン送出停止信号（内線ＤＴ停止要求）を生成し、このトーン送出停止信号のＩＰパケットを、ＶｏＩＰ＋ＬＡＮ処理部２２からＩＰ対応ＰＨＳ基地局１へ送信する（Ｓ２１０）。
【００７５】
ＩＰ対応ＰＨＳ基地局１において、ＶｏＩＰ＋ＬＡＮ処理部１１は、ＩＰ−ＰＢＸ２よりトーン送出停止信号（内線ＤＴ停止要求）のＩＰパケットを受信すると、このトーン送出停止信号にて指定されているトーン音である内線ＤＴの生成をトーン発生部１３１に中止させる。また、このトーン送出停止信号にて指定されているポート番号が割り当てられたＢチャネルについて、音声データ処理部１３２から出力される音声データが選択されるようにセレクタ１３３を制御する（Ｓ２１１）。
【００７６】
以上、本発明の一実施形態について説明した。
【００７７】
本実施形態によれば、保留音またはローカルトーンの送出開始および送出停止の指示が、ＩＰネットワーク（ＬＡＮ４）を介して、ＩＰ−ＰＢＸ２からＩＰ対応ＰＨＳ基地局装置１へ送信される。したがって、保留音やローカルトーンを送出している期間中、保留音やローカルトーンを格納したＩＰパケットがＩＰネットワークに流れ続けることはない。このため、ＩＰネットワークのトラフィックの増大を抑止することができる。
【００７８】
また、本実施形態では、ＩＰ対応ＰＨＳ基地局装置１において、ＩＰネットワークとの通信を行うＶｏＩＰ＋ＬＡＮ処理部１１およびＰＨＳ端末３との通信を行う無線通信＋通信制御部１２のそれぞれに、ＣＰＵ１１３、１２３を備えたユニットを利用している。そして、ＶｏＩＰ＋ＬＡＮ処理部１１のＣＰＵ１１３と無線通信＋通信制御部１２のＣＰＵ１２３との間における制御および／またはプログラムデータの送受を中継するＦＩＦＯ１３５１を設けている。このようにすることで、簡単な構成でＶｏＩＰ＋ＬＡＮ処理部１１のＣＰＵ１１３と無線通信＋通信制御部１２のＣＰＵ１２３との間のインターフェースを実現できる。
【００７９】
なお、本発明は上記の実施形態に限定されものではなく、その要旨の範囲内で数々の変形が可能である。
【００８０】
例えば、上記の実施形態では、保留音、ＳＤＴおよび内線ＤＴを例に取り、ＩＰ対応ＰＨＳ基地局装置１がトーンを生成してＰＨＳ端末３に送出する場合を説明した。しかし、本発明はこれに限定されない。本発明は、様々なトーンをＰＨＳ端末３に送出する場合に適用できる。
【００８１】
また、上記の実施形態において、ＩＰ−ＰＢＸ２がＬＡＮ４を介して複数のＩＰ対応ＰＨＳ基地局装置１と接続される構成としてもよい。また、ＬＡＮ４には、ＩＰ対応ＰＨＳ基地局装置１以外の様々なネットワーク端末が接続される構成としてもよい。また、ＩＰ−ＰＢＸ２が収容する回線は、ＩＳＤＮ回線５に限定されない。例えばアナログ電話回線であってもよい。
【００８２】
また、上記の実施形態では、本発明を事業所用ＰＨＳシステムに適用した場合を例にとり説明したが、本発明はＩＰーＰＢＸおよびＩＰ対応無線基地局装置を備えた無線電話システムに広く適用できる。
【００８３】
【発明の効果】
以上説明したように、本発明によれば、ＩＰネットワークのトラフィックの増大を抑止することのできる、ＩＰ−ＰＢＸおよびＩＰ対応無線基地局装置を用いた無線電話システムを実現できる。
【図面の簡単な説明】
【図１】図１は、発明の一実施形態が適用された事業所用ＰＨＳシステムの概略図である。
【図２】図２は、ＩＰ対応ＰＨＳ基地局装置１のハードウエア構成例を示す図である。
【図３】図３は、保留音およびＳＤＴをＰＨＳ端末３へ送出する場合の動作を説明するための図である。
【図４】図４は、内線ＤＴをＰＨＳ端末３へ送出する場合の動作を説明するための図である。
【図５】図５は、従来の事業所用ＰＨＳシステムの概略図である。
【符号の説明】
１…ＩＰ対応ＰＨＳ基地局装置、２…ＩＰ−ＰＢＸ、３・・・ＰＨＳ端末、４・・・ＬＡＮ、５・・・ＩＳＤＮ回線、１１・・・ＶｏＩＰ＋ＬＡＮ処理部、１２・・・無線通信＋通信制御部、１３・・・ロジック部、１４・・・ＦＰＧＡ、２１・・・ＩＳＤＮ回線収容部、２２・・・・ＶｏＩＰ＋ＬＡＮ処理部、２３・・・スイッチ部、２４・・・主制御部、１１１・・・ＰＨＹ、１１２・・・ＥＢＩ、１１３・・・ＣＰＵ、１１４・・・メモリ、１３１・・・トーン発生部、１３２・・・音声データ処理部、１３３・・・セレクタ、１３４・・・符号化・復号化部、１３５・・・制御データ用バッファ、１２１・・・ＰＨＹ、１２２・・・ＥＢＩ、１２３・・・ＣＰＵ、１２４・・・メモリ、１２５・・・無線ユニット、１３１１・・・メロディＩＣ、１３１２・・・トーンＲＯＭ、１３２１・・・ＤＳＰ、１３２２・・・第１調整バッファ、１３２３・・・第２調整バッファ、１３３１・・・セレクタ回路、１３４１・・・ＡＤＰＣＭトランスコーダ、１３４２・・・ＣＨコーデック
【図１】
2004343437.tif 000003
【図２】
2004343437.tif 000004
【図３】
2004343437.tif 000005
【図４】
2004343437.tif 000006
【図５】
2004343437.tif 000007